【手続補正書】
【提出日】平成23年11月30日(2011.11.30)
【手続補正１】
【補正対象書類名】明細書
【補正対象項目名】発明の名称
【補正方法】変更
【補正の内容】
【発明の名称】ＤＩＣＯＭ医用画像情報処理システム、ＤＩＣＯＭ医用画像情報処理方法およびＤＩＣＯＭ医用画像情報処理プログラム
【手続補正２】
【補正対象書類名】明細書
【補正対象項目名】０００１
【補正方法】変更
【補正の内容】
【０００１】
本発明は、モダリティにより得られた複数の医用画像をグルーピングして表示するＤＩＣＯＭ医用画像情報処理システム、ＤＩＣＯＭ医用画像情報処理方法およびＤＩＣＯＭ医用画像情報処理プログラムに関する。
【手続補正３】
【補正対象書類名】明細書
【補正対象項目名】００１６
【補正方法】変更
【補正の内容】
【００１６】
本発明はかかる従来の事情に対処するためになされたものであり、モダリティにより得られた複数の医用画像を適切にグループに分割して表示させるＤＩＣＯＭ医用画像情報処理システム、ＤＩＣＯＭ医用画像情報処理方法およびＤＩＣＯＭ医用画像情報処理プログラムを提供することを目的とする。
【手続補正４】
【補正対象書類名】明細書
【補正対象項目名】００１７
【補正方法】変更
【補正の内容】
【００１７】
本発明に係るＤＩＣＯＭ医用画像情報処理システムは、上述の目的を達成するために、ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたＤＩＣＯＭ医用画像情報処理システムにおいて、前記複数の付帯情報のうち前記シリーズ情報とは異なる前記画像撮影条件を示す付帯情報に基づいて前記複数のＤＩＣＯＭ医用画像を複数のグループに分割するための手段と、前記複数のＤＩＣＯＭ医用画像情報を前記分割されたグループに従ってモニタに表示させる画像表示手段と、を備えたことを特徴とするものである。また、本発明に係るＤＩＣＯＭ医用画像情報処理システムは、上述の目的を達成するために、ＤＩＣＯＭ規格による付帯情報のシリーズ情報を作成する機能を備えたモダリティにより得られた、前記ＤＩＣＯＭ規格による画像データおよび複数の付帯情報を含む被検体の複数のＤＩＣＯＭ医用画像情報を記憶する医用画像記憶手段とネットワークを介して接続され、前記複数の付帯情報はＤＩＣＯＭ医用画像情報が取得される際の画像撮影条件を示す付帯情報を複数含み、前記シリーズ情報により前記複数のＤＩＣＯＭ医用画像をグルーピング可能に構成されたＤＩＣＯＭ医用画像情報処理システムにおいて、前記複数の付帯情報のうち前記シリーズ情報とは異なる前記画像撮影条件を示す付帯情報に基づいて前記複数のＤＩＣＯＭ医用画像を複数のグループに分割するための手段と、前記複数のＤＩＣＯＭ医用画像情報を前記分割されたグループに従ってモニタに表示させる画像表示手段と、を備えたことを特徴とするものである。
【手続補正５】
【補正対象書類名】明細書
【補正対象項目名】００１８
【補正方法】変更
【補正の内容】
【００１８】
また、本発明に係るＤＩＣＯＭ医用画像情報処理方法は、上述の目的を達成するために、ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたＤＩＣＯＭ医用画像情報処理システムにおけるＤＩＣＯＭ医用画像情報処理方法であって、前記複数の付帯情報のうち前記シリーズ情報とは異なる前記画像撮影条件を示す付帯情報に基づいて前記複数のＤＩＣＯＭ医用画像を複数のグループに分割するステップと、前記複数のＤＩＣＯＭ医用画像情報を前記分割されたグループに従ってモニタに表示させるステップと、を有することを特徴とする方法である。また、本発明に係るＤＩＣＯＭ医用画像情報処理プログラムは、上述の目的を達成するために、ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたコンピュータに、前記複数の付帯情報のうち前記シリーズ情報とは異なる前記画像撮影条件を示す付帯情報に基づいて前記複数のＤＩＣＯＭ医用画像を複数のグループに分割するステップと、前記複数のＤＩＣＯＭ医用画像情報を前記分割されたグループに従ってモニタに表示させるステップと、を実行させることを特徴とするプログラムである。
【手続補正６】
【補正対象書類名】明細書
【補正対象項目名】００１９
【補正方法】変更
【補正の内容】
【００１９】
このような本発明に係るＤＩＣＯＭ医用画像情報処理システム、ＤＩＣＯＭ医用画像情報処理方法およびＤＩＣＯＭ医用画像情報処理プログラムにおいては、モダリティにより得られた複数の医用画像を適切にグループに分割して表示させることができる。
【手続補正７】
【補正対象書類名】明細書
【補正対象項目名】００２１
【補正方法】変更
【補正の内容】
【００２１】
本発明に係るＤＩＣＯＭ医用画像情報処理システム、ＤＩＣＯＭ医用画像情報処理方法およびＤＩＣＯＭ医用画像情報処理プログラムの実施の形態について添付図面を参照して説明する。
【手続補正８】
【補正対象書類名】特許請求の範囲
【補正対象項目名】全文
【補正方法】変更
【補正の内容】
【特許請求の範囲】
【請求項１】
ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたＤＩＣＯＭ医用画像情報処理システムにおいて、
前記複数の付帯情報のうち前記シリーズ情報とは異なる前記画像撮影条件を示す付帯情報に基づいて前記複数のＤＩＣＯＭ医用画像を複数のグループに分割するための手段と、
前記複数のＤＩＣＯＭ医用画像情報を前記分割されたグループに従ってモニタに表示させる画像表示手段と、
を備えたことを特徴とするＤＩＣＯＭ医用画像情報処理システム。
【請求項２】
前記分割するための手段は、
前記画像撮影条件を示す付帯情報の２以上の組み合わせに基づいて前記複数のＤＩＣＯＭ医用画像を複数のグループに分割する、
請求項１記載のＤＩＣＯＭ医用画像情報処理システム。
【請求項３】
前記分割するための手段は、
前記画像撮影条件を示す複数の付帯情報のうち、あらかじめ設定された画像撮影条件を示す付帯情報またはユーザにより入力手段を介して設定された画像撮影条件を示す付帯情報に基づいて前記複数のＤＩＣＯＭ医用画像を複数のグループに分割する、
請求項１または２に記載のＤＩＣＯＭ医用画像情報処理システム。
【請求項４】
前記画像撮影条件を示す付帯情報は、造影剤に関する情報である、
請求項１記載のＤＩＣＯＭ医用画像情報処理システム。
【請求項５】
前記画像撮影条件を示す付帯情報は、Ｘ線管の管電圧の情報である、
請求項１記載のＤＩＣＯＭ医用画像情報処理システム。
【請求項６】
前記画像撮影条件を示す付帯情報は、寝台位置情報である、
請求項１記載のＤＩＣＯＭ医用画像情報処理システム。
【請求項７】
前記画像撮影条件を示す付帯情報は、検査される部位に関する情報である、
請求項１記載のＤＩＣＯＭ医用画像情報処理システム。
【請求項８】
前記画像撮影条件を示す付帯情報は、前記ＤＩＣＯＭ医用画像情報の画像撮影条件を示すタグおよび当該タグのデータを含み、
前記分割するための手段は、
あらかじめ設定され、またはユーザにより入力手段を介して設定された前記タグを抽出し、前記タグのデータに基づいて前記複数のＤＩＣＯＭ医用画像を複数のグループに分割する、
請求項１ないし７のいずれか１項に記載のＤＩＣＯＭ医用画像情報処理システム。
【請求項９】
前記ＤＩＣＯＭ医用画像情報は、
前記被検体の長軸断面画像を含み、
前記分割するための手段は、
前記ＤＩＣＯＭ医用画像情報のそれぞれについて、前記長軸断面画像の所定の短軸方向と、前記長軸断面画像を構成する各画素の輝度の頻度値と、の関係を示すヒストグラムを作成し、このヒストグラム上のピーク個数ごとに前記複数のＤＩＣＯＭ医用画像をグループに分割するための情報を前記ＤＩＣＯＭ規格による付帯情報として前記ＤＩＣＯＭ医用画像情報にさらに付帯させる、
請求項１ないし８のいずれか１項に記載のＤＩＣＯＭ医用画像情報処理システム。
【請求項１０】
ＤＩＣＯＭ規格による付帯情報のシリーズ情報を作成する機能を備えたモダリティにより得られた、前記ＤＩＣＯＭ規格による画像データおよび複数の付帯情報を含む被検体の複数のＤＩＣＯＭ医用画像情報を記憶する医用画像記憶手段とネットワークを介して接続され、前記複数の付帯情報はＤＩＣＯＭ医用画像情報が取得される際の画像撮影条件を示す付帯情報を複数含み、前記シリーズ情報により前記複数のＤＩＣＯＭ医用画像をグルーピング可能に構成されたＤＩＣＯＭ医用画像情報処理システムにおいて、
前記複数の付帯情報のうち前記シリーズ情報とは異なる前記画像撮影条件を示す付帯情報に基づいて前記複数のＤＩＣＯＭ医用画像を複数のグループに分割するための手段と、
前記複数のＤＩＣＯＭ医用画像情報を前記分割されたグループに従ってモニタに表示させる画像表示手段と、
を備えたことを特徴とするＤＩＣＯＭ医用画像情報処理システム。
【請求項１１】
ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたＤＩＣＯＭ医用画像情報処理システムにおけるＤＩＣＯＭ医用画像情報処理方法であって、
前記複数の付帯情報のうち前記シリーズ情報とは異なる前記画像撮影条件を示す付帯情報に基づいて前記複数のＤＩＣＯＭ医用画像を複数のグループに分割するステップと、
前記複数のＤＩＣＯＭ医用画像情報を前記分割されたグループに従ってモニタに表示させるステップと、
を有することを特徴とするＤＩＣＯＭ医用画像情報処理方法。
【請求項１２】
ＤＩＣＯＭ規格による画像データおよび複数の付帯情報を含む複数のＤＩＣＯＭ医用画像情報を保存する医用画像保存手段と接続され、前記複数の付帯情報はＤＩＣＯＭ医用画像情報が取得される際の画像撮影条件を示す付帯情報を複数含み、前記複数の付帯情報のうちシリーズ情報により前記複数のＤＩＣＯＭ医用画像をグルーピング可能に構成されたコンピュータに、
前記複数の付帯情報のうち前記シリーズ情報とは異なる前記画像撮影条件を示す付帯情報に基づいて前記複数のＤＩＣＯＭ医用画像を複数のグループに分割するステップと、
前記複数のＤＩＣＯＭ医用画像情報を前記分割されたグループに従ってモニタに表示させるステップと、
を実行させることを特徴とするＤＩＣＯＭ医用画像情報処理プログラム。